(57)【特許請求の範囲】
【請求項１】
管体へ支持対象物を取り付けるための管体把持具であって、
支持対象物に固定されると共に、前記管体を受ける円弧状受け凹部とを有するブラケットと、
中間部において枢軸により前記ブラケットに枢支され、基端側が前記ブラケットの内側に配置され、先端側とブラケットとの間で前記管体を締め付け、解放するように回転可能な顎部材と、
前記枢軸と平行な枢ピンにより、前記顎部材の基端側に回転自在に設けられるナット部材と、
前記ブラケットを貫通して、前記ナット部材に螺合され、締め付けることによりブラケットと前記顎部材との間で前記管体を締め付けて、ブラケットを管体に固定する締め付けボルトとを具備する、ことを特徴とする管体把持具。
【請求項２】
前記ブラケットが、前記ナット部材の枢ピンを回転及び相対移動自在に貫通させる縦方向の長孔を具備し、
前記顎部材が、前記ナット部材の枢ピンを回転及び相対移動自在に貫通させる前後方向の長孔を具備することを特徴とする請求項１に記載の管体把持具。
【発明の詳細な説明】
【技術分野】
【０００１】
この発明は、例えば、工事現場の仮囲いを構成する鋼管に、太陽電池モジュールを取り付ける際等に用いて有効な管体把持具に関する。
【背景技術】
【０００２】
特許文献１には、太陽電池モジュールのような部材を単管パイプのような管体へ固定するための把持金具であって、管体に対する装着、ロック、取り外し作業が容易で、構造の簡易なものが提案されている。この金具においては、ブラケットが、ほぼ円弧状の凹部を前方へ開口させている。顎部材が、ブラケットに枢支され、保持位置と解放位置との間で回転自在である。ストッパが、ブラケットに枢支され、ロック位置と非ロック位置との間で回転自在で、ロック位置に回転付勢される。ストッパは、ロック位置において、顎部材が保持位置から解放位置へ回転するのを阻止するが、顎部材が解放位置から保持位置へ回転するのを許容し、かつ、非ロック位置において、顎部材が保持位置から解放位置へ回転するのを許容する。付勢手段が、顎部材の回転途上でデッドポイントを越えて顎部材を選択的に、ロック位置又は非ロック位置に保持する。
【先行技術文献】
【特許文献】
【０００３】
【特許文献１】特開２０１１−６９３７号公報
【発明の概要】
【発明が解決しようとする課題】
【０００４】
上記特許文献1に記載された従来の管体把持金具は、管体を締め付けることなく把持する構造であるため、管体の軸線方向には移動しやすい。このため、設置環境によっては、使用できないことがある。
したがって、この出願に係る発明は、管体に対して軸線方向にも移動しないように固定可能な管体把持具を提供することを目的としている。
【課題を解決するための手段】
【０００５】
以下、添付図面の符号を参照して説明するが、本発明はこれに限定されるものではない。
上記課題を解決するための、この出願に係る発明の管体把持具１は、ブラケット２と、顎部材３と、ナット部材４と、締め付けボルト５とを具備する。ブラケット２は、支持対象物Ｍに固定され、管体Pを受ける円弧状受け凹部６ａを有する。顎部材３は、中間部において枢軸１０によりブラケット２に枢支され、基端側がブラケット２の内側に配置され、先端側とブラケット２との間で管体Pを締め付け、解放するように回転可能である。ナット部材４は、枢軸１０と平行な枢ピン４ｂにより、顎部材３の基端側に回転自在に設けられる。締め付けボルト５は、ブラケット２を貫通して、ナット部材４に螺合され、締め付けることによりブラケット２と顎部材３との間で管体Pを締め付けて、ブラケット２を支持対象物Ｍと一体に管体Pに固定する。
【発明の効果】
【０００６】
この出願に係る発明の管体把持具１によれば、管体Pに対して軸線方向にも移動しないように固定可能で、装着が比較的容易な管体把持具を提供することができる。
【図面の簡単な説明】
【０００７】
【図１】管体把持具の正面図である。
【図２】図１の管体把持具の平面図である。
【図３】図１の管体把持具の右側面図である。
【図４】図１の管体把持具の左側面図である。
【図５】図１の管体把持具の断面図である。
【図６】ブラケットの正面図である。
【図７】図６のブラケットの平面図である。
【図８】顎部材の正面図である。
【図９】図８の顎部材の平面図である。
【発明を実施するための形態】
【０００８】
図面を参照してこの発明の実施の形態を説明する。
図１において、管体把持具1は、太陽電池モジュールのような支持対象物Mを支持用の単管パイプのような管体Pに結合するためのものである。
【０００９】
図５によく示すように、管体把持具１は、ブラケット２と、顎部材３と、ナット部材４と、締め付けボルト５とを具備する。
【００１０】
ブラケット２は、後部が支持対象物M（図１，２）に固着され、前部が管体Pに係合される。すなわち、ブラケット２は、左右平行一対の側板部６と、両側板部６間を後部において接続する取り付け板部７と、両側板部６の上部間を接続する支持板部８とを具備する。
【００１１】
図６，７によく示すように、側板部６は、管体Pを受ける円弧状受け凹部６ａを有し、この凹部６ａが前方へ開放している。側板部６は、上部前方に軸受け孔６ｂ、上部後方に縦方向の長孔６ｃを具備する。
【００１２】
取り付け板部７は、両側板部６の後縁間を、これらと直角に接続する。取り付け板部７は、ボルト孔７ａを有し、図示しないボルトで支持対象物Ｍ（図１，２）に固着される。
【００１３】
支持板部８は、両側板部６の上縁間を、これらと直角に接続する。支持板部８は、締め付けボルト５を挿通するためのボルト孔８ａを有する。
【００１４】
顎部材３は、互いに結合された平行一対の鈎形板材９からなり、中間部において枢軸１０によりブラケット２の軸受け孔６ｂに枢支され、基端側がブラケット２の内側、支持板部８の下方位置に配置される。したがって、顎部材３は、それの先端側とブラケット２との間で管体Pを締め付け、解放するように回転可能である。図８，９によく示すように、鈎形板材９は、枢軸１０を挿通させる軸孔９ａを中間部に有し、基端部には、ナット部材４の枢ピン４ａを挿通させる前後方向の長孔９ｂを有する。長孔９ｂは、ブラケット２の長孔６ｃとほぼ直交する位置関係にある。
【００１５】
図８，９によく示すように、ナット部材４は、締め付けボルト５を螺合させる縦方向のねじ孔４ａを有し、顎部材３の基端部において鈎形板材９間に枢支される。すなわち、ナット部材４は、左右両端に枢ピン４ｂを有し、この枢ピン４ｂが顎部材３の長孔９ｂと、ブラケット２の長孔６ｃとを回転及び相対移動自在に貫通する。
【００１６】
締め付けボルト５は、ブラケット２の支持板部８に形成されたボルト挿通孔８ａを自在に貫通して、ナット部材４のねじ孔４ａに螺合され、これを貫通する。締め付けボルト５を締め付けることにより、顎部材３の基端側を引き上げるように回転させ、ブラケット２と顎部材３との間で管体Pを締め付ける。
【００１７】
支持対象物Mを、管体Pに支持する場合、図１に仮想線で示すように、ボルト５を弛めて顎部材３の基端側を下降させることにより、ブラケット２と顎部材３との間を開放状態に置き、支持対象物Mを支え持って、顎部材３を管体Pに掛け止め、管体Ｐ上に仮止めする。次いで、ボルト５を締め付けることにより、ブラケット２と顎部材３との間で管体Pを締め付け固定する。
【符号の説明】
【００１８】
１    管体把持具
２    ブラケット
３    顎部材
４    ナット部材
４ａ  ねじ孔
４ｂ  枢ピン
５    締め付けボルト
６    ブラケットの側板部
６ａ  軸受け孔
６ｂ  受け凹部
６ｃ  長孔
７    ブラケットの取り付け板部
７ａ  ボルト孔
８    ブラケットの支持板部
８ａ  ボルト孔
９    顎部材の鈎形板材
９ａ  軸孔
９ｂ  長孔
１０  枢軸
P    管体
M    支持対象物
【図１】
0005313299.tif 000002
【図２】
0005313299.tif 000003
【図３】
0005313299.tif 000004
【図４】
0005313299.tif 000005
【図５】
0005313299.tif 000006
【図６】
0005313299.tif 000007
【図７】
0005313299.tif 000008
【図８】
0005313299.tif 000009
【図９】
0005313299.tif 000010